(57)【要約】【課題】  短冊形の日めくり式カレンダーの各紙において、写真や図柄などの表示内容を自由に選択でき、なおかつ、簡単に取付けを行えるようにする。【解決手段】  日めくり式アルバムカレンダー１を構成する３１枚の各紙２の表面に１から３１までの数字を順番に付する数字表示部６を設けると共に、各紙のそれぞれに自分の好きな写真等を収納する透明フィルムのポケット部７と、曜日表示部８とを設けた。【選択図】    図１
2006327168.tif 000002
【特許請求の範囲】
【請求項１】
短冊形とし、なおかつ、ほぼ同一大きさにした３１枚の紙を重ね、各紙上端部に複数のリングを設けることにより、これらのリングを軸に各紙の回動を可能にして、丁合して綴じ合わせたカレンダーであり、各紙表面には１から３１までの数字を１枚目から３１枚目まで順番に付して日日を表示する部分を設けると共に、各紙に透明フィルムによって自分の好きな写真、または絵葉書、イラスト、カード等を収納するポケット部を設けたことを特徴とする日めくり式アルバムカレンダー。
【請求項２】
上記各紙に日曜から土曜までの七曜日を順番に表示する曜日表示部を設けたことを特徴とする、請求項１記載の日めくり式アルバムカレンダー。
【発明の詳細な説明】
【技術分野】
【０００１】  本発明は日めくり式アルバムカレンダーに関する。
【背景技術】
【０００２】  教訓や詩、またはイラスト等を表示した短冊形の多数の紙を重ね、各紙上端部において複数のリングにより各紙をめくることを可能にして、綴り丁合した日めくり式のカレンダーが一般的に利用されている。
【発明の開示】
【発明が解決しようとする課題】
【０００３】  しかしながら、従来の日めくり式のカレンダーにおいては、教訓・詩集、または絵・イラストの図画集等として表示内容が印刷されて画一的であり、個人が好きな写真等を自由に表示することができなかった。本発明は、日めくり式のカレンダー紙に使用者である個人が写真等の表示内容を自由に選択でき、なおかつ簡単に取付けを行えるようにしたカレンダーを提供することを目的とする。
【課題を解決するための手段】
【０００４】  上記の目的を達成するために、本発明の請求項１の日めくり式アルバムカレンダーは、短冊形とし、なおかつ、ほぼ同一大きさにした３１枚の紙を重ね、各紙上端部に複数のリングを設けることにより、これらのリングを軸に各紙の回動を可能にして、丁合して綴じ合わせたカレンダーであり、各紙表面には１から３１までの数字を１枚目から３１枚目まで順番に付して日日を表示する部分を設けると共に、各紙に透明フィルムによって自分の好きな写真、または絵葉書、イラスト、カード等を収納するポケット部を設けたことを特徴とする。【０００５】  また、本発明の請求項２の日めくり式アルバムカレンダーは、請求項１に記載のカレンダーにおいて、各紙に日曜から土曜までの七曜日を順番に表示する曜日表示部を設けたことを特徴とする。
【発明を実施するための最良の形態】
【０００６】  以下に、本発明の実施の形態を図面により説明する。本発明による日めくり式アルバムカレンダーは、図１に示すように短冊形とし、なおかつ、ほぼ同一の大きさとした３１枚の紙２を重ね合わせ、各紙上端部に複数の抜き穴３を設け、各紙に共通する位置にある該抜き穴に、リング等の連結具４を通して綴じ合わせたものであり、上記３１枚の紙を一枚ずつ連結具４を軸に回動させて、めくることが可能としている。また、これらの各連結具４には中央に彎曲部を形成した吊下げ棒５を通し、壁、柱等に掛けるのを目的とする吊り掛け部としている。そして、上記各紙の上端部中央には各紙をめくるときに吊下げ棒５の彎曲部が邪魔とならないように半円状の凹み部を設けている。【０００７】  各紙２の表面は、１から３１までのうちの１つの数字を表示する日日の表示部６と、選択した写真等を収納する透明フィルム製のポケット部７と、日曜から土曜までの七曜日を順番に表示する曜日表示部８とに区分している。【０００８】  数字表示部６は図示例のとおり各紙上部の中央に設けるのが好ましい。該表示部に印刷された各紙の数字は、１から３１までの数字のうちの１つとし、なおかつ、印刷された数字はそれぞれ異なるものとし、１から３１までの数字を付された紙を日日として順番に重ねる。なお、図示例の場合、数字表示部は線で囲っているが、線が無くてもよい。【０００９】  選択した写真等を収納する透明フィルム製のポケット部７は図示例のとおり各紙の下部に設けるのが好ましい。自分の好きな写真、または絵葉書、イラスト、カード等を写真出し入れ口９から入れて飾る。なお、透明フィルムはビニール等でもよい。【００１０】  曜日表示部８は図示例のように数字表示部６の下に位置し、各紙２には日月火水木金土すべての曜日が表記され、なおかつ、該各紙３１枚を重ね綴じ合わせた際に、台紙１０に設けられた、上記７つの曜日のうち、いずれかの曜日を指し示す表示具１１を露出させる開口部１２を設けている。なお、図示例の場合、曜日表示部は線で囲っているが、線が無くてもよい。【００１１】  台紙１０に設けた表示具１１は、指で左右にずらすことを可能としており、各紙２の開口部内においてスライドさせるのに、なおかつ、該各紙をめくるのに支障とならない大きさ及び形状とし、また、上記各紙３１枚を重ね合わせた際の紙全体の厚さ乃至は該厚さの３倍程度に相当する範囲内での高さであるとよい。【００１２】  台紙１０には図２のように切り抜き線Ａ及びＢを設けており、切り抜き線ＡとＢとの間の幅は各紙２に設けた開口部１２の縦の長さよりも長い幅となるようにし、該切り抜き線Ａ及びＢが上記各紙２の開口部から見えない位置とする。そして、切り抜き線Ａ及びＢにより形成される表示具１１のレールＣには、表示具土台１３が帯状に巻かれており、該表示具１１は左右にスライドする表示具土台１３に接着されて一体となっている。これにより、表示具１１は指で左右にずらすことが可能としており、各紙に表記される日曜から土曜までの７つの曜日から１つの曜日を表示具１１で指し示し、順番にずらしていくことで各曜日を表示する。【００１３】  なお、本発明は以上のような実施の形態に限定されるものではなく、本発明の趣旨を逸脱��ない範囲においては種々の変更が可能である。例えば、壁等に掲示する吊り下げ式のほかに棚や机等に立てかけるようにした立体形状のものであってもよい。写真等を収納する透明フィルム製のポケット部７については、各紙２の該ポケット部分に相当するところの紙を切り抜いての透明フィルムによる収納ポケットであってもよい。また、曜日表示部８については必ずしも必要とせず、必要により設ければよい。
【発明の効果】
【００１４】  本発明の日めくり式アルバムカレンダーを使用すれば、自分の好きな写真、または絵葉書、イラスト、カード等を自由に選択でき、簡単に取付けて飾ることができる。しかも、日めくり式なので日々、変化に富んで楽しめる。また、カード等にその日の予定・行事を記入して取付けておけば、１ヶ月分のスケジュールの覚え書きとしても使用することができ便利である。
【図面の簡単な説明】
【００１５】
【図１】  本発明を実施した日めくり式アルバムカレンダーの概略斜視図である。
【図２】  図１の台紙の概略斜視図である。
【符号の説明】
【００１６】  １      日めくり式アルバムカレンダー
２      紙
３      抜き穴
４      連結具
５      吊下げ棒
６      数字表示部
７      ポケット部
８      曜日表示部
９      写真出し入れ口
１０    台紙
１１    表示具
１２    開口部
１３    表示具土台
Ａ      切り抜き線
Ｂ      切り抜き線
Ｃ      レール
【図１】
2006327168.tif 000003
【図２】
2006327168.tif 000004